(57)【要約】【課題】遊技球の発射が不能となる球詰まりを防止する。【解決手段】遊技領域９の上部を画定する外レール２８、パチンコ玉の移動が可能なスペースを隔てて外レール２８と向かい合った内レール２７とによってパチンコ玉を発射装置側から遊技領域９側に導く誘導路２９が形成されている。誘導路２９内には誘導路２９を塞ぐ閉じ位置と開き位置との間で揺動する案内部材３６が設けられている。内レール２７には誘導路２９と遊技領域９とを連通させる排出口３７が設けられ、誘導路２９内を遊技領域９側から発射装置側に移動するパチンコ玉は案内部材３６によって排出口３７から遊技領域９に案内され、遊技領域９に案内されたパチンコ玉はガイドレール４０と内レール２７との間を通って回収口３３に至る。パチンコ玉は、排出口３７を通る際、球検出センサ３９によって検出され、これに応答して受け皿にパチンコ玉が払い出される。【選択図】図２
2008073297.tif 000002
【特許請求の範囲】
【請求項１】
受け皿から供給される遊技球を発射する発射装置と、前記発射装置によって発射された遊技球を入賞口が設けられた遊技領域に導く誘導路と、前記誘導路から前記遊技領域に射出された遊技球を回収して島設備側へ排出する回収路とを備えた弾球遊技機において、
前記誘導路内を前記遊技領域側から前記発射装置側に移動する遊技球を前記回収路に通じる回収口に案内する案内部材と、
前記案内部材によって前記回収口に案内された遊技球を検知する検知手段と、
前記検知手段からの検知信号に応答して遊技球を前記受け皿に払い出す払出手段とを設けたことを特徴とする弾球遊技機。
【請求項２】
前記誘導路は、前記遊技領域の下部から外周を囲む外レールとこの外レールの内側において対向し前記遊技領域の下部から上部まで延設された内レールとの間に形成され、前記遊技領域は、前記内レールによって前記誘導路と仕切られており、
前記内レールに、前記案内部材によって案内される遊技球を前記誘導路内から前記遊技領域に排出するための排出口を形成し、
前記回収口を、前記遊技領域内に設けたことを特徴とする請求項１記載の弾球遊技機。
【請求項３】
前記回収口を前記排出口よりも下側の前記遊技領域内であって前記内レール沿いに配置し、
前記遊技領域内に、一端が前記排出口と向かい合い、他端が前記回収口側に向かって延びたガイドレールを遊技球の移動が可能なように前記内レールと向かい合わせて設けたことを特徴とする請求項２記載の弾球遊技機。
【請求項４】
前記回収口は、前記遊技領域の下端に配置され、前記排出口から排出された遊技球と前記入賞口を逸れた遊技球とを回収することを特徴とする請求項２または３記載の弾球遊技機。
【発明の詳細な説明】
【技術分野】
【０００１】
本発明はパチンコ店等の遊技場に設置して使用される弾球遊技機に関するものである。
【背景技術】
【０００２】
弾球遊技機として、例えばパチンコ機はパチンコ玉を射出する発射装置を備え、発射装置によって射出されたパチンコ玉は遊技領域の上部に打ち出されていた。遊技領域内には入賞口が設けられ、入賞口にパチンコ玉が入賞した場合には受け皿にパチンコ玉が払い出される。受け皿のパチンコ玉は、発射装置に送られ、遊技領域に打ち出すことが可能となっていた。
【０００３】
発射装置と遊技領域との間にはパチンコ玉を遊技領域の上部に案内するための誘導路が形成されており、発射装置によって射出されたパチンコ玉はこの誘導路を通って遊技領域の上部に放出されるが、勢いが足りず誘導路から遊技領域に放出されなかったパチンコ玉は遊技領域側から発射装置側に向かって誘導路を戻り、誘導路の下端部に設けられた回収用の開口から回収されていた。回収用の開口は受け皿に通じており、受け皿に送られたパチンコ玉は再度、発射装置から射出されていた。一方、誘導路を遊技領域側から発射装置側に戻るパチンコ玉が発射装置内に進入して玉詰まりが発生し、パチンコ玉の発射が不能になってしまうことがあった。このような問題を解決するため、例えば特許文献１では、パチンコ玉が発射装置に到達することがないように、誘導路を遮る弁を設けたパチンコ機が示されている。
【特許文献１】特開２００３−１１７１０７号公報
【発明の開示】
【発明が解決しようとする課題】
【０００４】
しかしながら、誘導路を遊技領域側から発射装置側に移動するパチンコ玉を回収する開口は受け皿に通じているため、受け皿から挿入された不正部材が開口を通して遊技領域に差し込まれ、例えば、入賞口にパチンコ玉が入賞しやすくなるように入賞口上に設けられた役物が操作されてしまうことがあった。また、パチンコ玉を誘導路から受け皿に送るための機構を備えたためにパチンコ機が大型化してしまうことがあった。
【０００５】
本発明は上記の事情に鑑みてなされたものであり、その目的は、受け皿から遊技領域に不正部材を挿入する不正行為を困難にしつつ、遊技球の発射が不能となる球詰まりを防止することにある。
【課題を解決するための手段】
【０００６】
上記の目的を達成するために、本発明の弾球遊技機では、受け皿から供給される遊技球を発射する発射装置と、発射装置によって発射された遊技球を入賞口が設けられた遊技領域に導く誘導路と、誘導路から遊技領域に射出された遊技球を回収して島設備側へ排出する回収路とを備えた弾球遊技機において、誘導路内を遊技領域側から発射装置側に移動する遊技球を回収路に通じる回収口に案内する案内部材と、案内部材によって回収口に案内された遊技球を検知する検知手段と、検知手段からの検知信号に応答して遊技球を受け皿に払い出す払出手段とを設けたことを特徴とする。
【０００７】
また、誘導路は前記遊技領域の下部から外周を囲む外レールとこの外レールの内側において対向し遊技領域の下部から上部まで延設された内レールとの間に形成され、遊技領域は前記内レールによって誘導路と仕切られており、内レールに案内部材によって案内される遊技球を誘導路内から遊技領域に排出するための排出口を形成し、回収口を遊技領域内に設けたことを特徴とする。
【０００８】
また、回収口を排出口よりも下側の遊技領域内であって前記内レール沿いに配置し、遊技領域内に、一端が排出口と向かい合い、他端が回収口側に向かって延びたガイドレールを遊技球の移動が可能なように内レールと向かい合わせて設けたを特徴とする。
【０００９】
また、回収口は、遊技領域の下端に配置され、排出口から排出された遊技球と入賞口を逸れた遊技球とを回収することを特徴とする。
【発明の効果】
【００１０】
本発明の弾球遊技機によれば、遊技領域側から発射装置側に移動する遊技球が案内部材によって回収路に通じた回収口に案内され、回収口に案内された遊技球が検知手段によって検知されたとき、払出制御手段が払出装置を駆動させて遊技球が受け皿に払い出され、これにより、遊技球が発射装置に進入することを防いで、遊技球の発射が不能となる球詰まりを防止することができる。また、遊技領域側から発射装置側に移動する遊技球の回収口は、受け皿ではなく島設備側に遊技球を排出する回収路に通じているため、受け皿から遊技領域に不正部材を挿入することが困難になる。
【００１１】
また、内レールに、案内部材によって案内される遊技球を誘導路内から遊技領域に排出するための排出口を形成し、回収口を遊技領域内に設けたことで、遊技領域内のスペースを利用して誘導路を遊技領域側から発射装置側に移動する遊技球を回収することができ、誘導路内を遊技領域側から発射装置側に移動する遊技球を回収する機構をよりコンパクトにすることができる。
【００１２】
また、回収口を排出口よりも下側の遊技領域内であって前記内レール沿いに配置し、遊技領域内に、一端が排出口と向かい合い、他端が回収口側に向かって延びたガイドレールを遊技球の移動が可能なように内レールと向かい合わせて設けたことにより、排出口から排出された遊技球はガイドレールと内レールとの間を通って回収口に進入し、これにより遊技球が入賞口に入賞することを確実に防ぐことができる。
【００１３】
また、回収口は遊技領域の下端に配置され、排出口から排出された遊技球と入賞口を逸れた遊技球とを回収することにより、回収口は入賞口を逸れた遊技球の回収と排出口から排出された遊技球の回収とを兼ねるため、遊技球の流通構造がシンプルな弾球遊技機を提供することができる。
【発明を実施するための最良の形態】
【００１４】
本発明を実施した弾球遊技機であるパチンコ機の外観斜視図を図１に示す。パチンコ機２の前面には、上扉４及び下扉５からなる２枚の前面扉６が遊技機本体３に対して回動自在に設けられている。上扉４及び下扉５は一方の側端部に設けられたヒンジ部８を介して開閉自在に遊技機本体３に取り付けられ、それぞれ閉じられた状態で図示しない施錠装置によってロックされている。
【００１５】
遊技機本体３には、遊技盤１８、センター役物３０などの駆動を制御する制御回路などがユニット化された遊技盤ユニットが着脱自在に取り付けられており、これにより遊技盤ユニットは容易に交換できるようになっている。上扉４の中央には開口４ａが設けられ、この開口４ａにはガラス板７が組み付けられている。ガラス板７と遊技盤１８との間にはパチンコ玉が流下する遊技領域９が形成され、遊技者はガラス板７を通して遊技領域９を視認することができる。
【００１６】
下扉５には、受け皿１２、発射操作装置１４、球通路１５、払出口１６等が設けられている。受け皿１２には遊技を開始する際にパチンコ玉が流入する他、遊技領域９を流下するパチンコ玉が遊技盤１８に設けられた入賞口に入賞することに応じてパチンコ玉が払出口１６から払い出される。球通路１５は、受け皿１２に貯留されたパチンコ玉を発射装置５９まで案内し、発射操作装置１４は、パチンコ玉を遊技領域９に打ち出す際に操作される。発射操作装置１４には遊技者によって回される回動部材１４ａが備えられ、この回動部材１４ａの位置に応答してパチンコ玉の打ち出しの強さが変化する。
【００１７】
遊技盤１８上には、釘、スタートチャッカ２３、入賞チャッカ２４、アタッカ２６、内レール２７、外レール２８、センター役物３０等が設けられている。スタートチャッカ２３には、例えば電動チューリップと呼ばれる開閉式の可動装置が設けられ、これによってパチンコ玉が入賞しやすい状態と入賞しにくい状態とが切り替えられるようになっている。遊技領域９に打ち出されたパチンコ玉が入賞チャッカ２４やアタッカ２６等に入賞しない場合は回収口３３に進入する。
【００１８】
センター役物３０には、例えば４つの保留表示部及び表示画面３５が備えられており、保留表示部は、センター役物３０上に設けられた表示画面３５において図柄が変動表示されている間にスタートチャッカ２３に設けられた始動入賞口（図示省略）にパチンコ玉が入賞するごとに１つ点灯する。この入賞は、電子抽選を行って図柄を変動させる権利として持ち越され、この権利の持ち越しは上限が４つまでと予め定められている。この権利を消化した場合には保留表示部は１つずつ消灯する。
【００１９】
センター役物３０に備えられた表示画面３５は、例えば、横に３つ並べられた図柄など各種画像を表示する。始動入賞口にパチンコ玉が入賞したときには後述する電子抽選が開始され、表示画面３５には３つの図柄のうち少なくとも１つの図柄が縦に流れるように示される変動表示が行われた後に、３つの図柄が停止表示される。表示画面３５に停止表示された図柄の組み合わせを通して遊技者に抽選結果が告知される。図柄は、例えば１〜９までの数字であり、変動表示後、大当たりでは同じ数字が３つ停止表示される。
【００２０】
始動入賞口にパチンコ玉が入賞すると予め決められた個数のパチンコ玉が払出口１６から受け皿１２に払い出される。また、始動入賞口にパチンコ玉が入賞すると電子抽選が開始され、乱数を抽出して当たりとなる乱数であるか否かの判定が行われ、判定の結果が表示画面３５に表示される。
【００２１】
入賞チャッカ２４は、例えば、遊技領域９の左右に１つずつ配置され、入賞チャッカ２４に設けられた通常入賞口にパチンコ玉が入賞すると、所定の個数のパチンコ玉が受け皿１２に払い出されるようになっている。
【００２２】
アタッカ２６には大入賞口及び大入賞口を開閉する可動扉が備えられ、表示画面３５によって大当たりが告知されたときに可動扉が開放されるようになっており、一定期間の開放が所定の回数繰り返されたときもしくは一定個数のパチンコ玉が入賞したときに、大当たりの告知に伴うアタッカ２６の開放は終了する。
【００２３】
遊技盤１８の裏側にはパチンコ玉を回収する図示しない回収路を形成する集合樋（図示省略）が設けられ、始動入賞口、通常入賞口、大入賞口、及び回収口３３に入賞したパチンコ玉は回収路に排出される。回収路に排出されたパチンコ玉は島設備側に排出される。
【００２４】
受け皿１２には、例えば略２６０個のパチンコ玉を貯留することができ、その内側には球通路１５を分け隔てる仕切り壁が形成されている。受け皿１２に供給されたパチンコ玉は、仕切り壁伝いに少しずつ球通路１５内を整列しながら発射装置５９側に流下し、球詰まりを発生させることなく発射装置５９側に送られる。
【００２５】
発射操作装置１４は遊技者によって回動される回動部材１４ａを備え、回動部材１４ａはパチンコ玉を発射しない初期位置とパチンコ玉を最も強く発射する最大位置との間で回動可能となっている。発射操作装置１４の内部には図示しない位置検出センサが設けられ、発射装置５９は位置検出センサからの位置検知信号に応答してパチンコ玉の発射強度を調節する。
【００２６】
図２に示すように、遊技領域９の上部は外レール２８によって囲まれ、この外レール２８の内側に内レール２７が設けられている。内レール２７は外レール２８の左サイドのうち下部と上部との間でパチンコ玉の移動が可能な間隔を隔てて対向しており、外レール２８と内レール２７との間には発射装置５９によって射出されたパチンコ玉を遊技領域９まで誘導する誘導路２９が形成されている。
【００２７】
誘導路２９にはパチンコ玉を遊技領域９に案内するための案内部材３６が設けられ、内レール２７には案内部材３６に案内されるパチンコ玉を誘導路２９内から遊技領域９内に排出するための排出口３７が形成されている。案内部材３６は、排出口３７の下縁に軸支されており、誘導路２９を開く開き位置と誘導路２９を塞ぐ閉じ位置との間で揺動自在に設けられ、例えば、トーションバネによって常時は閉じ位置に付勢されている。発射装置５９によって発射されたパチンコ玉が重力に逆らって発射装置５９側から遊技領域９側に移動するとき、案内部材３６は閉じ位置から開き位置に移動してパチンコ玉を通過させ、パチンコ玉が遊技領域９側から発射装置５９側に移動するとき、パチンコ玉は案内部材３６によって排出口３７に案内される。
【００２８】
遊技領域９内には、センター役物３０、スタートチャッカ２３、入賞チャッカ２４、アタッカ２６の他、回収口３３、ガイドレール４０が設けられている。回収口３３は、遊技領域９の下端に配置され、パチンコ玉を島設備側に排出するための回収路に通じている。ガイドレール３０は、例えば軟質なビニルによって形成され、その一端が排出口３７に対向し、他端が回収口３３に向かって延び、パチンコ玉の移動が可能なスペースを隔てて内レール２７と向かい合っており、内レール２７とガイドレール４０との間には、排出口３７から排出されたパチンコ玉を回収口３３まで案内する案内通路４１が形成される。排出口３７から排出されたパチンコ玉はガイドレール４０の一端に当たった際に勢いが減じられ、案内通路４１内を下方に流下して回収口３３に進入する。これにより、回収口３３は、始動入賞口、通常入賞口、大入賞口を逸れたパチンコ玉のほかに、排出口３７から排出されたパチンコ玉を回収して回収路に集める。
【００２９】
排出口３７にはパチンコ玉を検出するための球検知センサ（検知手段）３９が配置されている。球検知センサ３９としては、例えば発光部と受光部とを備えた反射型のフォトセンサが用いられ、発光部の前をパチンコ玉が通過するごとに検出信号が出力される。球検知センサ３９からの検出信号は後述する制御部に入力される。
【００３０】
図３にパチンコ機２の電気的な構成を概略的に示したブロック図を示す。パチンコ機２は電子回路からなる制御部４２、この制御部４２に接続された各種センサ等から構成されている。パチンコ機２は制御部４２内に設けられたＣＰＵ４３によって主要な部分が制御されている。
【００３１】
制御部４２にはＣＰＵ４３のほか、ＲＡＭ４５、ＲＯＭ４６、当たり決定部４７、停止図柄決定部４９、遊技制御部５１などが設けられている。
【００３２】
ＲＯＭ４６には、遊技を演出するための複数の画像データ、パチンコ機２に備えられた可動物を画像や音声に合わせて駆動させるための駆動データなどか格納されている。ＣＰＵ４３はＲＯＭ４６の制御プログラムに従ってパチンコ機２全般を制御する。
【００３３】
当たり決定部４７は乱数発生器、乱数サンプリング回路、当たり決定テーブルを備え、始動入賞口入賞球検出センサ６０がパチンコ玉の入賞を検出するたびに乱数値をサンプリングする。サンプリングされた乱数値は当たり決定テーブルに照合されて大当たりまたははずれが決定される。
【００３４】
停止図柄決定部４９では表示画面３５に停止表示させる図柄の組み合せが決定される。停止図柄決定部４９は停止図柄テーブルを備え、当たり決定部４７での抽選後、抽選結果に応じて停止図柄テーブルを参照して停止図柄を決定する。停止図柄テーブルは大当たり用とはずれ用とがあり、大当たり用の図柄テーブルには複数種類の大当たり用の画像データが格納されている。大当たり用の画像データには、例えば、遊技者に有利な大当たり遊技を付与することを告知する単発図柄、大当たり遊技の実行後に大当たりに当選する確率が通常よりも高い高確率遊技を付与することを示す高確率遊技用図柄用の画像データなどが格納されている。
【００３５】
パチンコ機２には制御部４２の他、払出制御装置５５、可動物制御装置５７、発射装置５９、始動入賞口入賞球検出センサ６０、大入賞口入賞球検出センサ６１、通常入賞口入賞球検出センサ６２、通過球検出センサ６３、表示制御装置７０、音声制御装置（図示省略）などが設けられている。通過球検出センサ６３は遊技領域９に設けられた通過チャッカに設けられ、パチンコ玉の通過の応じて検出信号がＣＰＵ４３に入力される。入賞チャッカ２４に設けられた通常入賞口内には通常入賞口入賞球検出センサ６２が、スタートチャッカ２３に設けられた始動入賞口内には始動入賞口入賞球検出センサ６０が、アタッカ開放時に露呈する大入賞口内には大入賞口入賞球検出センサ６１がそれぞれ設けられており、それぞれパチンコ玉の検出に応じて検出信号がＣＰＵ４３に入力される。
【００３６】
音声制御装置はサウンドメモリを備え、図柄の変動表示を行っているときや当たりを示す図柄が停止表示されたときなどにサウンドメモリから音声データを読み出し、この音声データを基にパチンコ機２に備え付けられたスピーカを駆動させて外部に音声を出力する。
【００３７】
表示制御装置７０は表示画面３５の駆動を制御する。表示制御部７０は、停止図柄決定部４９から送信される画像データを基にして表示画面３５に大当たりもしくははずれの図柄を表示する。
【００３８】
発射装置５９は発射操作装置１４に備えられた回動部材１４ａが初期位置から回動されたときにパチンコ玉を遊技領域９に向けて射出する。図示はしないが、発射装置５９は遊技領域９にパチンコ玉を打ち出すための打球部材を備え、発射装置５９は球送り装置（図示省略）から供給されるパチンコ玉を打球部材で叩いて誘導路２９内に射出している。打球部材がパチンコ玉を打球する強さは発射操作装置１４に備えられた回動部材１４ａの回し具合によって決定され、回動部材１４ａの回し具合が少ないとき、打球部材に叩かれたパチンコ玉は誘導路２９から遊技領域９内に脱出できず、誘導路２９内を遊技領域９側から発射装置５９側に逆流することになる。
【００３９】
払出制御装置５５は払出装置５６とともに払出手段を構成しており、受け皿１２にパチンコ玉を払い出している。払出制御装置５５は、例えば、通常入賞口入賞球検出センサ６２や大入賞口入賞球検出センサ６１からの検出信号の入力に応じて払出装置を駆動させてパチンコ玉を払い出す。それぞれの入賞口にパチンコ玉が入賞した場合に払い出されるパチンコ玉の個数は予め定められており、払出装置５６によって払い出されたパチンコ玉は払出口１６から受け皿１２に排出される。また、払出制御装置５５は球検出センサ３９からの検出信号が入力されたとき払出装置５６にパチンコ玉を１球払い出させる。
【００４０】
次に本発明の作用について図４のフローチャートを用いて説明する。発射装置５９によって打ち出されたパチンコ玉が、勢いが足りないために遊技領域９内に射出されず誘導路２９内を発射装置５９側に向かって逆流するとき、パチンコ玉は案内部材３６によって排出口３７から遊技領域９内に排出される。
【００４１】
パチンコ玉が排出口３７から遊技領域９内に排出されるとき、パチンコ玉が球検出センサ３９によって検出され、払出制御装置５５が球検出センサ３９からの検出信号に応答して払出装置５６にパチンコ玉を１球払い出させる。払出装置５６から払い出されたパチンコ玉は受け皿１２に流入し、発射装置５９による打ち出しが可能となる。
【００４２】
このように、誘導路２９内を遊技領域９側から発射装置５９側に逆流するパチンコ玉を、案内部材３６を介して排出口３７から遊技領域９内に排出することで、パチンコ玉が発射装置５９に進入することを防止して、パチンコ玉が発射できなくなる玉詰まりを防ぐことができる。また、誘導路２９内を遊技領域９側から発射装置５９側に逆流するパチンコ玉を回収口３３から回収する替わりに、払出装置５６によって受け皿１２にパチンコ玉を払い出すようにしたことで、受け皿１２から遊技領域９に通じる経路がなくすことができ、受け皿１２の払出口１６から遊技領域９内に不正部材を挿通させることができなくなる。
【００４３】
なお、上記の実施形態では、誘導路２９内を遊技領域９側から発射装置５９側に移動するパチンコ玉を遊技領域９内の回収口３３まで案内して回収したが、パチンコ玉の回収方法はこれに限らない。例えば、遊技領域側から発射装置側に向かって誘導路からＹ字状に分岐した分岐路を設け、分岐点に遊技領域側から発射装置側に誘導路内を逆流するパチンコ玉を分岐路に案内するように案内部材を設け、分岐路内に回収口を設けてもよい。このようにすることにより、遊技領域を使用せずに遊技領域側から発射装置側に誘導路内を逆流するパチンコ玉を回収することができる。
【００４４】
また、上記の実施形態では、案内部材３６は誘導路２９を開く開き位置と誘導路２９を塞ぐ閉じ位置との間で揺動自在に設けられ、トーションバネによって常時は閉じ位置に付勢されていたが、案内部材の形態はこれに限らない。例えば、遊技盤から誘導路内に誘導路を遮るように突出する突出位置と、遊技盤に引き込まれた引込み位置との間で移動する案内部材を設けてもよい。このような案内部材を利用する場合、誘導路から遊技領域に射出されるパチンコ玉を監視し、この監視結果から案内部材の移動をソレノイド等によって制御することで、パチンコ玉を回収口に案内することができる。
【００４５】
また、上記の実施形態では、払出制御装置５５と払出装置５６とが、各入賞口にパチンコ玉が入賞したときのパチンコ玉の払い出しと誘導路２９から回収口３３にパチンコ玉が回収されたときのパチンコ玉の払い出しとを兼ねたが、それぞれのパチンコ玉の払い出しは別々に実行してもよい。
【００４６】
また、上記の実施形態では弾球遊技機としてパチンコ機を例示したが、本発明はパチンコ機に限らず、例えば、遊技領域内に複数の入球口が横に配列され、これら入球口に遊技球が入球して特定の当たり役が成立した際に受け皿に遊技球が払い出されるアレンジボールマシンに適用してもよい。
【図面の簡単な説明】
【００４７】
【図１】本発明のパチンコ機を前側から観察した外観斜視図である。
【図２】遊技領域及びその周囲を正面から観察した平面図である。
【図３】パチンコ機の電気的な構成を示したブロック図である。
【図４】本発明の作用を示すフローチャートである。
【符号の説明】
【００４８】
２  パチンコ機（弾球遊技機）
１２  受け皿
１４  発射操作装置
２７  内レール
２８  外レール
２９  誘導路
３３  回収口
３６  案内部材
３７  排出口
３９  球検知センサ（検知手段）
４０  ガイドレール
４１  案内通路
５５  払出制御装置（払出手段）
５６  払出装置（払出手段）
５９  発射装置
【図１】
2008073297.tif 000003
【図２】
2008073297.tif 000004
【図３】
2008073297.tif 000005
【図４】
2008073297.tif 000006